(57)【要約】【課題】二つの画面に表示されるそれぞれの画像が、一つの画面上に重なり表示されることを防止する。【解決手段】第１の仮想軸上に配置され、前記第１の仮想軸と交差するそれぞれの第２の仮想軸を中心にして回転し、さらに前記第１の仮想軸を中心にして回転して表示される画像（サムネイル画像５１）を第１表示画像および第２表示画像のいずれかに含み、前記第１表示画像と前記第２表示画像とを、第１画面および第２画面に表示する表示方法であって、前記第１画面（第１表示画面１４１）と前記第２画面（第２表示画面１４２）との境界１４５を、隣り合う前記第１表示画像と前記第２表示画像との間に配置する表示方法。【選択図】図３
2020086111.tif 000002
【特許請求の範囲】
【請求項１】
第１の仮想軸上に配置され、前記第１の仮想軸と交差するそれぞれの第２の仮想軸を中心にして回転し、さらに前記第１の仮想軸を中心にして回転して表示される画像を第１表示画像および第２表示画像のいずれかに含み、前記第１表示画像と前記第２表示画像とを、第１画面および第２画面に表示する表示方法であって、
前記第１画面と前記第２画面との境界を、隣り合う前記第１表示画像と前記第２表示画像との間に配置する、
表示方法。
【請求項２】
前記第１表示画像および前記第２表示画像は、
それぞれの表示されている前記第１画面または前記第２画面からはみ出す部分を表示しない、
請求項１に記載の表示方法。
【請求項３】
前記第１表示画像は、複数の前記画像が第１の方向に並ぶ画像束を有し、
前記第２表示画像は、複数の前記画像の内から選択された画像に対応するページを拡大したメイン画像を有する、
請求項１または請求項２に記載の表示方法。
【請求項４】
前記第２表示画像は、前記メイン画像に加えて参照画像を有し、
前記参照画像は、前記画像束の内から他の前記画像を選択することによって決定する、
請求項３に記載の表示方法。
【請求項５】
前記選択された画像は、見開き状態で表示する、
請求項３または請求項４に記載の表示方法。
【請求項６】
前記選択された画像は、隣り合う画像との間隔を広げ、前記隣り合う画像と重ならないように表示する、
請求項３または請求項４に記載の表示方法。
【請求項７】
前記画像束は、前記第１の方向と交差する第２の方向に複数配置し、表示する、
請求項３ないし請求項６のいずれか一項に記載の表示方法。
【請求項８】
第１表示画像および第２表示画像のいずれかを表示する第１画面および第２画面と、
第１の仮想軸上に配置され、前記第１の仮想軸と交差する第２の仮想軸を中心にして回転し、更に前記第１の仮想軸を中心に回転して表示される画像を生成する画像生成部と、
前記画像をいずれかに含むように前記第１表示画像および前記第２表示画像を生成する表示画像生成部と、
前記第１画面と前記第２画面との境界が、隣り合う前記第１表示画像と前記第２表示画像との間に配置されるように、前記第１表示画像と前記第２表示画像とを、前記第１画面および前記第２画面に表示する制御部と、を備えている、
表示装置。
【発明の詳細な説明】
【技術分野】
【０００１】
本発明は、表示方法、および表示装置に関する。
【背景技術】
【０００２】
従来、複数のフォルダーや収納されている複数の画像を表示する表示方法が開示されている。このような表示方法として、例えば特許文献１には、一つの表示画面において、仮想線Ａによって仕切られているページ画像表示領域とサムネイル画像表示領域を有し、ページ画像表示領域にメイン画像が表示され、サムネイル画像表示領域にサムネイル束などの検索画像が表示される形態が記載されている。
【先行技術文献】
【特許文献】
【０００３】
【特許文献１】特開２０１７−１４２７１１号公報
【発明の概要】
【発明が解決しようとする課題】
【０００４】
しかしながら、特許文献１に記載されている表示方法は、二つの表示画面を用いる表示形態でなく、一つの表示画面を仮想線Ａによって仕切ることによって構成されるそれぞれの画像表示領域に、異なる二つの画像を表示している。このような表示形態において二つの画像を表示した場合、二つの画像表示領域の境界において、それぞれの画像、即ちメイン画像と、サムネイル束などの検索画像とが重なってしまう虞があり、二つの画像が重なってしまった場合には、それぞれの画像の閲覧が困難となる。
【課題を解決するための手段】
【０００５】
本願の表示方法は、第１の仮想軸上に配置され、前記第１の仮想軸と交差するそれぞれの第２の仮想軸を中心にして回転し、さらに前記第１の仮想軸を中心にして回転して表示される画像を第１表示画像および第２表示画像のいずれかに含み、前記第１表示画像と前記第２表示画像とを、第１画面および第２画面に表示する表示方法であって、前記第１画面と前記第２画面との境界を、隣り合う前記第１表示画像と前記第２表示画像との間に配置する。
【０００６】
上述の表示方法において、前記第１表示画像および前記第２表示画像は、それぞれの表示されている前記第１画面または前記第２画面からはみ出す部分を表示しないこととしてもよい。
【０００７】
上述の表示方法において、前記第１表示画像は、複数の前記画像が第１の方向に並ぶ画像束を有し、前記第２表示画像は、複数の前記画像の内から選択された画像に対応するページを拡大したメイン画像を有することとしてもよい。
【０００８】
上述の表示方法において、前記第２表示画像は、前記メイン画像に加えて参照画像を有し、前記参照画像は、前記画像束の内から他の前記画像を選択することによって決定することとしてもよい。
【０００９】
上述の表示方法において、前記選択された画像は、見開き状態で表示することとしてもよい。
【００１０】
上述の表示方法において、前記選択された画像は、隣り合う画像との間隔を広げ、前記隣り合う画像と重ならないように表示することとしてもよい。
【００１１】
上述の表示方法において、前記画像束は、前記第１の方向と交差する第２の方向に複数配置し、表示することとしてもよい。
【００１２】
本願の表示装置は、第１表示画像および第２表示画像のいずれかを表示する第１画面および第２画面と、第１の仮想軸上に配置され、前記第１の仮想軸と交差する第２の仮想軸を中心にして回転し、更に前記第１の仮想軸を中心に回転して表示される画像を生成する画像生成部と、前記画像をいずれかに含むように前記第１表示画像および前記第２表示画像を生成する表示画像生成部と、前記第１画面と前記第２画面との境界が、隣り合う前記第１表示画像と前記第２表示画像との間に配置されるように、前記第１表示画像と前記第２表示画像とを、前記第１画面および前記第２画面に表示する制御部と、を備えている。
【図面の簡単な説明】
【００１３】
【図１】第１実施形態に係る表示装置の一例としての携帯型端末装置の概略を示す外観斜視図。
【図２】表示装置のハードウェア構成を示すブロック図。
【図３】サムネイル画像を含むサムネイル束、およびメインページの表示例１を示す図。
【図４Ａ】サムネイル画像を変形させる処理を説明するための図。
【図４Ｂ】サムネイル画像を変形させる処理を説明するための図。
【図４Ｃ】サムネイル画像を変形させる処理を説明するための図。
【図４Ｄ】サムネイル画像を変形させる処理を説明するための図。
【図４Ｅ】サムネイル画像を変形させる処理を説明するための図。
【図５】第１実施形態に係る表示装置に表示される表示例２を示す図。
【図６】第２実施形態に係る表示装置に表示されるサムネイル画像を含むサムネイル束、およびメインページの表示例３を示す図。
【図７】第２実施形態に係る表示装置に表示される表示例４を示す図。
【図８】表示の変形例を示す図。
【発明を実施するための形態】
【００１４】
以下、各図面に沿って、表示装置、および該表示装置への表示方法の実施形態について説明する。なお、以下で説明する実施形態は、特許請求の範囲に記載された本発明の内容を不当に限定するものではない。また、以下の実施形態で説明される構成の全てが、本発明の必須構成要件であるとは限らない。
【００１５】
１．第１実施形態
１．１．表示装置
先ず、図１、図２、および図３を参照して、第１実施形態に係る表示装置の構成について説明する。図１は、第１実施形態に係る表示装置の一例としての携帯型端末装置の概略を示す外観斜視図である。図２は、表示装置のハードウェア構成を示すブロック図である。なお、図２は、表示装置において電子書籍や電子写真の各ページおよびサムネイル画像およびサムネイル束の表示に係る機能の構成を示したブロック図である。図３は、サムネイル画像を含むサムネイル束、およびメインページの表示例１を示す図である。
【００１６】
第１実施形態に係る表示装置１００は、図１に示すように、電子書籍や電子写真などを閲覧するための装置であり、フォルダーやファイルに収納されている電子書籍や電子写真などの各ページの画像や表示したい画面の検索画面として、電子書籍や電子写真の各ページを縮小した画像としてのサムネイル画像を表示する。つまり、表示装置１００は、画像を表示可能な電子機器の一例である。なお、以下では、表示装置１００に表示する画像として、複数のサムネイル画像５１，５１ａ，５１ｂなど（図３参照）、およびサムネイル画像５１，５１ａ，５１ｂなどを並べて表示する画像束としてサムネイル束３０（図３参照）を例示して説明する。また、本実施形態では、フォルダーやファイルを総称して、「ファイル」を用いて説明する。
【００１７】
また、以下の説明では、「第１の方向」、および「第２の方向」を用いているが、本明細書における「第１の方向」とは、表示部１４０の表示が判読可能な状態で、表示部１４０を構成する画面をユーザーに正対させたときの水平方向（横方向）に相当する。また、「第２の方向」とは、第１の方向と交差する方向であり、表示部１４０の表示が判読可能な状態で、表示部１４０を構成する画面をユーザーに正対させたときの垂直方向（縦方向）に相当する。また、表示装置１００や表示部１４０の説明に用いる各図面には、説明の便宜上、互いに直交する２軸を、Ｘ軸、およびＹ軸として設定している。即ち、Ｘ軸は、表示部１４０の水平方向（横方向）に沿った方向である「第１の方向」、Ｙ軸は、表示部１４０の垂直方向（縦方向）に沿った方向である「第２の方向」と一致している。また、説明の便宜上、Ｙ軸の正方向を「上」、または「上側」、Ｙ軸の負方向を「下」、または「下側」、Ｘ軸の正方向を「右」、または「右側」、Ｘ軸の負方向を「左」、または「左側」、ということがある。
【００１８】
表示装置１００は、例えばスマートフォンやタブレット型の端末装置などで構成することができる。表示装置１００は、他の情報処理装置（不図示）と、例えばＢｌｕｅｔｏｏｔｈ（登録商標）通信などを例示することができる近距離無線通信や有線通信（不図示）等によって接続されることができる。
【００１９】
第１実施形態に係る表示装置１００は、図１に示すように、画像を表示する二つの画面として第１表示画面１４１と第２表示画面１４２とを有する表示部１４０を備えている。なお、第１表示画面１４１が第１画面に相当し、第２表示画面１４２が第２画面に相当する。第１表示画面１４１、および第２表示画面１４２は、第１表示画面１４１または第２表示画面１４２の枠部などで構成される境界１４５を介してＹ軸に沿って並んで配置されている。なお、本実施形態に係る表示装置１００は、境界１４５の部分での折りたたみが可能な、折りたたみ式の携帯型端末装置を例示している。ユーザーは、表示装置１００の液晶ディスプレイ等によって構成された第１表示画面１４１および第２表示画面１４２を有する表示部１４０に表示された画像を視認することができる。なお、表示装置１００は、二つの画面を有する他の構成として、別固体で構成された二つのタブレット型の端末装置のそれぞれの画面を用いたり、二つのスマートフォンのそれぞれの画面を用いたりすることができる。また、表示装置１００は、例えばタブレット型の端末装置とスマートフォンとを組み合わせて、二つの画面の表示部１４０を構成することもできる。また、境界１４５は、枠部に替えて、画面上において一つの画面を二つに区切る境界線（不図示）によって構成することができる。
【００２０】
表示装置１００は、図２に示すように、ハードウェア構成として、サムネイル画像生成部１２０および表示画像生成部１３０を含む制御部１１０、操作部１５０を含む表示部１４０、および記憶部１６０を備えている。
【００２１】
制御部１１０は、サムネイル画像生成部１２０および表示画像生成部１３０を含む。制御部１１０は、ＣＰＵ（Central Processing Unit）、ＲＯＭ（Read Only Memory）、ＲＡＭ（Random Access Memory）等を備えたマイクロコンピューターであり、ＲＯＭに記憶されたプログラムに従って表示装置１００の各部を制御する。制御部１１０は、操作部１５０から送られた信号から操作内容を特定し、特定した内容に応じて、電子書籍のページを送る処理、ページを戻す処理、サムネイル画像やサムネイル束などの表示画像を表示部１４０に表示させる処理などを行う。
【００２２】
具体的に、制御部１１０は、記憶部１６０にアクセスし、電子書籍や電子写真などの各種データを記憶部１６０に書き込んだり読み出したりすることができる。また、制御部１１０は、サムネイル画像生成部１２０、および表示画像生成部１３０に対して、電子書籍や電子写真などの各ページに係る各種データや電子書籍や電子写真などの各種データを縮小したサムネイル画像やサムネイル束の画像を生成させたり、それらの表示画像データを生成させたりすることができる。
【００２３】
また、制御部１１０は、図３に示すように、表示画像生成部１３０で第１表示画像として生成された画像束としてのサムネイル束３０の画像を、一方の画面としての第１表示画面１４１に表示し、第２表示画像として生成されたメイン画像２１ａ，２１ｂを、他方の画面としての第２表示画面１４２に表示する。即ち、制御部１１０は、第１表示画面１４１と第２表示画面１４２との境界１４５が、隣り合う第１表示画像としてのサムネイル束３０と第２表示画像としてのメイン画像２１ａ，２１ｂとの間に配置されるように表示画像を構成し、表示部１４０に表示する。これにより、第１表示画像としてのサムネイル束３０と第２表示画像としてのメイン画像２１ａ，２１ｂとの重なり表示を防止することができ、二つの画像が重なってしまった場合に、それぞれの画像が見難いなど閲覧が困難になることを防ぐことができる。
【００２４】
ここで、第１表示画像としてのサムネイル束３０は、画像としての複数のサムネイル画像５１が、第１の方向に並び表示されている画像束である。なお、本形態では、サムネイル束３０において、サムネイル画像５１が、一つのファイルに含まれる複数のページに相応する複数のサムネイル画像を代表表示している。また、第２表示画面１４２に表示するメイン画像２１ａ，２１ｂは、二つのページに相当する画像に限らず、幾つであってもよい。
【００２５】
制御部１１０は、表示画像生成部１３０により、隣り合うサムネイル画像５１同士が、一部が重なった状態で等間隔に並ぶ構成部分と、隣り合うサムネイル画像５１同士の間隔が広がっていたり、表示向きが異なっていたりする部分などを含み並ぶ構成部分と、を有するサムネイル束３０を構成する。また、制御部１１０は、ユーザーからの指示によって、サムネイル束３０の隣り合う画像同士の間隔を変化させたり、画像の向きを変化させたりすることができる。本表示例において、制御部１１０は、サムネイル束３０に含まれる複数のサムネイル画像５１の内から選択されている選択ページ、即ちメイン画像２１ａ，２１ｂとして第２表示画面１４２に表示されているページに相当するサムネイル画像５１ａ，５１ｂを、見開き状態の表示４０として表示している。
【００２６】
サムネイル画像生成部１２０は、記憶部１６０から各種データを読み出し、電子書籍や電子写真などの各種データを縮小したサムネイル画像、例えばサムネイル画像５１を生成する。具体的に、サムネイル画像生成部１２０は、例えば表示部１４０を構成する画面の水平方向である第１の方向に沿った第１の仮想軸上に配置され、この第１の仮想軸と交差し、表示部１４０の画面の垂直方向である第２の方向に沿ったそれぞれの第２の仮想軸を中心にして回転され、さらに第１の仮想軸に対して回転した複数の画像として、図３に示すサムネイル画像５１を生成する。なお、このサムネイル画像５１の生成方法については、後段にて図４Ａ〜図４Ｅを参照して詳細に説明する。
【００２７】
表示画像生成部１３０は、図３に示すように、サムネイル画像生成部１２０によって生成された複数のページの各サムネイル画像５１を、表示部１４０の水平方向である第１の方向（Ｘ軸）に並べて配置したサムネイル束３０の画像を生成する。つまり、表示画像生成部１３０は、一つのサムネイル束、例えばサムネイル束３０を、一つのファイルに含まれる各ページのサムネイル画像５１，５１ａ，５１ｂを含み、俯瞰可能な構成とする。また、表示画像生成部１３０は、ユーザーが選択して開いているページの画像、例えば第２表示画像として、第２表示画面１４２に表示されるメイン画像２１ａ，２１ｂを生成する。
【００２８】
表示部１４０は、境界１４５を介した二つの表示画面として、第１表示画面１４１と第２表示画面１４２とを有し、それぞれの表示画面に画像を表示する。表示部１４０は、制御部１１０の指示に基づいて、複数のサムネイル画像５１，５１ａ，５１ｂを含むサムネイル束３０、およびサムネイル束３０に含まれる複数のサムネイル画像５１の内から選択されている選択ページを拡大表示したメイン画像２１ａ，２１ｂなどを表示画像として、第１表示画面１４１または第２表示画面１４２のいずれかに表示する。表示部１４０は、例えば液晶ディスプレイとタッチパッドのような位置入力装置を組み合わせたタッチパネルで構成することができる。なお、表示部１４０は、タッチパネルを操作部１５０として機能させることができる。
【００２９】
操作部１５０は、第１表示画面１４１および第２表示画面１４２を構成するタッチパネルによって構成されている。操作部１５０は、ユーザーの指などをタッチパネルに接触させ、ドラッグアンドドロップやフリックなどの操作によって生じる操作信号を、制御部１１０へ送ることができる。なお、操作部１５０としては、ユーザーが押し下げることによって操作する操作ボタン（不図示）で構成することもできる。
【００３０】
記憶部１６０は、書籍データや電子写真データなどを表示部１４０に表示させる画像データとして記憶するメモリーである。なお、記憶部１６０は、ファイルとして、例えば複数の書籍データに係る複数のページを一つのまとまりとして収納しているファイルや複数の電子写真データを一つのまとまりとして収納しているファイルなどを記憶することができる。
【００３１】
本実施形態の表示装置１００によれば、表示部１４０に画像を表示する第１画面としての第１表示画面１４１および第２画面としての第２表示画面１４２を有し、第１表示画面１４１と第２表示画面１４２との境界１４５が、隣り合う第１表示画像としてのサムネイル束３０と第２表示画像としてのメイン画像２１ａ，２１ｂとの間に配置されている。したがって、例えばサムネイル束３０を第１表示画面１４１に表示し、メイン画像２１ａ，２１ｂを第２表示画面１４２に表示するなど、サムネイル束３０とメイン画像２１ａ，２１ｂとを、第１表示画面１４１および第２表示画面１４２に区分してそれぞれ表示することができる。これにより、表示装置１００では、サムネイル束３０とメイン画像２１ａ，２１ｂとが重なって表示されてしまう、所謂重なり表示を防止することができ、二つの画像が重なってしまった場合に、それぞれの画像が見難いなど閲覧が困難になることを防ぐことができる。
【００３２】
また、表示装置１００では、第１表示画像として、複数の画像が第１の方向に並ぶサムネイル束３０を一方の画面としての第１表示画面１４１に表示し、第２表示画像として、サムネイル束３０を構成する複数のサムネイル画像５１の内から選択された画像に対応するページを拡大したメイン画像２１ａ，２１ｂを他方の画面としての第２表示画面１４２に表示する。したがって、第１表示画面１４１および第２表示画面１４２の二つの画面によって、サムネイル束３０全体の内容と、フォーカスしたい画像であるメイン画像２１ａ，２１ｂの内容とを、より判読し易くすることができる。
【００３３】
なお、制御部１１０は、メイン画像２１ａ，２１ｂに相当し、第１表示画面１４１に表示されているサムネイル画像５１ａ，５１ｂを、見開き状態の表示４０として表示している。このような見開き状態の表示４０により、サムネイル束３０の中でメイン画像２１ａ，２１ｂに相当するサムネイル画像５１ａ，５１ｂを視認し易くすることができるとともに、サムネイル束３０の中でメイン画像２１ａ，２１ｂに相当するサムネイル画像５１ａ，５１ｂと、その近傍の他の画像との表示内容を視認し易くすることができる。
【００３４】
１．２．表示方法１
１．２．１．表示例１
次に、図３に加え、図４Ａ〜図４Ｅを参照し、表示装置１００において表示方法１を用いて表示する表示例１について説明する。図４Ａ〜図４Ｅは、サムネイル画像を変形させる処理を説明するための図である。なお、表示装置１００における構成部位に関しては、上述と同符号を付して説明する。
【００３５】
表示方法１では、図３に示すように、表示部１４０を構成する第１表示画面１４１に、選択されたファイルに含まれるページそれぞれのサムネイル画像５１を第１の方向に配列したサムネイル束３０を第１表示画像として表示する。なお、サムネイル束３０には、サムネイル束３０に含まれる複数のサムネイル画像５１の内から、ユーザーがフォーカスするために選択した選択ページに相当するサムネイル画像５１ａ，５１ｂが、見開き状態の表示４０として表示されている。
【００３６】
また、表示方法１では、表示部１４０を構成する第２表示画面１４２に、第２表示画像としてのメイン画像２１ａ，２１ｂを表示する。ここで、メイン画像２１ａ，２１ｂは、サムネイル束３０に含まれる複数のサムネイル画像５１の内から、ユーザーによって選択された選択ページに相当するサムネイル画像５１ａ，５１ｂのページを拡大して表示している画像である。即ち、メイン画像２１ａ，２１ｂは、選択されたファイルに含まれるページの内で、ユーザーがフォーカスしたいページの拡大画像である。
【００３７】
換言すれば、表示方法１では、隣り合う第１表示画像としてのサムネイル束３０と第２表示画像としてのメイン画像２１ａ，２１ｂとの間に、第１表示画面１４１と第２表示画面１４２との境界１４５が配置されている。
【００３８】
サムネイル束３０は、隣り合うサムネイル画像５１同士が、一部が重なった状態で等間隔に並ぶ構成部分と、隣り合うサムネイル画像５１同士の間隔が広がっていたり、表示向きが異なっていたりする部分などを含み並ぶ構成部分と、を有している。ここで、画像としてのサムネイル画像５１は、例えば表示部１４０を構成する画面の第１の方向（Ｘ軸）に沿った第１の仮想軸上に配置され、第１の仮想軸と交差し、表示部１４０を構成する画面の第２の方向に沿ったそれぞれの第２の仮想軸を中心にして回転し、さらに第１の仮想軸を中心にして回転して表示されている画像である。このように、サムネイル画像５１は、第１の仮想軸および第２の仮想軸を中心にして回転されることによって、表示を判読可能な状態で画面をユーザーに正対させたとき、複数のサムネイル画像５１で構成されるサムネイル束３０を俯瞰できる状態に変形される。即ち、サムネイル束３０に含まれている複数のサムネイル画像５１を斜め上方から斜視し、俯瞰したときと同様なページの見え方となるように、各ページのサムネイル画像５１が変形されている。
【００３９】
ここで図４Ａ、図４Ｂ、図４Ｃ、図４Ｄ、および図４Ｅを参照して、サムネイル画像を変形させる処理について説明する。なお、以下、サムネイル画像を変形させる処理についての説明では、上述において付されていたサムネイル画像の符号（５１，５１ａ，５１ｂ）を省略している。
【００４０】
サムネイル画像生成部１２０から供給される各サムネイル画像は、書籍や電子写真などの各ページを平面視した画像であり、図４Ｂに示すように、縦方向の長さをＬ、横方向の長さをＳとした画像１１ｂである。換言すれば、画像１１ｂは、縦方向の辺が表示部１４０の第２の方向に沿った縦方向と平行であり、横方向の辺が表示部１４０の第１の方向に沿った横方向と平行に構成されている。
【００４１】
サムネイル画像生成部１２０は、書籍や電子写真などの各ページを表す各サムネイル画像を変形した画像を生成する。具体的に、サムネイル画像生成部１２０は、各ページについて、図４Ａに示すように、ページ１１ａを仮想空間内の仮想水平面Ｎに設定された第１の仮想軸Ｑ上に立てて配置し、第１の仮想軸Ｑと交差するそれぞれの第２の仮想軸Ｍを中心にして、ページ１１ａの横方向が表示部１４０の横方向に平行な基準位置１１から回転角θで回転させる。さらに、サムネイル画像生成部１２０は、仮想空間内においてそれぞれの第２の仮想軸Ｍを中心にして回転されたページ１１ａを、第１の仮想軸Ｑを中心にして俯角φ（不図示）で回転させた画像を生成する。即ち、サムネイル画像生成部１２０は、仮想空間内において、第２の仮想軸Ｍを中心にして回転させたページ１１ａの上辺より上の視点から、ページ１１ａを俯角φ（不図示）で斜めに見下ろしている画像を生成する。換言すれば、各サムネイル画像を変形した画像は、仮想空間内においてページ１１ａの上辺より上の視点からページ１１ａを俯角φ（不図示）で斜視し、俯瞰している画像として生成される。なお、ページを回転させていない場合、ページの横方向が表示部１４０の横方向（第１の方向）に平行な状態であり、回転角θは０°である。また、俯角φは予め定められた角度となっている。また、第２の仮想軸Ｍは、ページの縦方向（第２の方向）の辺に沿って平行である構成に限定されるものではなく、ページの横方向の辺と交差する構成であってもよい。
【００４２】
具体的には、先ず、サムネイル画像生成部１２０は、各ページを正面から見た画像１１ｂ（図４Ｂ参照）に対して、図４Ｃに示すように、横幅を変化させないようにしつつ、縦方向の変形を加え、図４Ｂの画像１１ｂの右辺を左辺に対してＳ・ｓｉｎθ・ｔａｎφだけずらした画像１１ｃを生成する。次に、サムネイル画像生成部１２０は、図４Ｄに示すように、図４Ｃの画像１１ｃを、ｃｏｓθの倍率で横方向に縮小した画像１１ｄを生成する。この結果、画像１１ｄの横幅は、Ｓ・ｃｏｓθとなる。そして、サムネイル画像生成部１２０は、最後に図４Ｅに示すように、図４Ｄの画像１１ｄをｃｏｓφの倍率で縦方向に縮小した画像１１ｅを生成する。この結果、画像１１ｅの縦方向の寸法は、Ｌ・ｃｏｓφとなる。これにより、ページを第２の仮想軸Ｍを中心にして回転角θで回転させ、さらに、第１の仮想軸Ｑを中心に回転させた画像１１ｅが得られる。換言すれば、ページを第２の仮想軸Ｍを中心にして回転角θで回転させ、且つ、ページの上辺より上の視点からページを俯角φで見下ろしたときの画像１１ｅが得られる。
【００４３】
なお、回転角θは、選択ページデータで特定される選択ページについては予め定められた回転角θ１にされ、選択ページの一つ前のページについては、予め定められた回転角−θ１にされる。また、選択ページ以外のページについては、選択ページからページ番号が離れるにつれて回転角θは徐々に大きな角度にされ、選択ページより後のページの回転角θは、本実施形態においては、θ１＜θ＜９０°の範囲にされ、選択ページより前のページの回転角θは、本実施形態においては、−θ１＞−θ＞−９０°の範囲にされる。
【００４４】
表示方法１では、制御部１１０は、第１表示画面１４１に、第１表示画像としてのサムネイル束３０を表示する。また、制御部１１０は、第２表示画面１４２に、第２表示画像としてのメイン画像２１ａ，２１ｂを表示する。即ち、表示方法１では、表示部１４０を構成する第１表示画面１４１と第２表示画面１４２との境界１４５を、隣り合う第１表示画像としてのサムネイル束３０と第２表示画像としてのメイン画像２１ａ，２１ｂとの間に配置して、第１表示画面１４１にサムネイル束３０を表示し、第２表示画面１４２にメイン画像２１ａ，２１ｂを表示する。
【００４５】
このような表示方法１によれば、境界１４５によって区分けされた第１表示画面１４１に第１表示画像としてのサムネイル束３０が表示され、第２表示画面１４２に第２表示画像としてのメイン画像２１ａ，２１ｂが表示される。したがって、サムネイル束３０とメイン画像２１ａ，２１ｂとの重なりを防止することができ、二つの画像が重なってしまった場合に、それぞれの画像が見難いなど閲覧が困難になることを防ぐことができる。
【００４６】
なお、第２表示画面１４２には、図３に示すように、表示されている第２表示画像としてのメイン画像２１ａ，２１ｂに加えて、参照画像２１ｃを表示することができる。参照画像２１ｃは、第１表示画面１４１に表示されているサムネイル束３０の内から参照したい他のページのサムネイル画像５１ｃを選択することによって決定する。このとき、参照画像２１ｃは、メイン画像２１ａ，２１ｂの視認を妨げないように、第１表示画面１４１の四隅や端部などに表示することが好ましいが、表示位置は適宜設定することができる。また、参照画像２１ｃは、メイン画像２１ａ，２１ｂよりも小さな面積で表示されることが好ましいが、必要に応じて適宜表示面積を設定することができる。
【００４７】
このように、表示部１４０を構成する第２表示画面１４２に、メイン画像２１ａ，２１ｂに加えて、参照画像２１ｃを表示することにより、表示されている画像の中身の認知・理解を、より的確に行うことができる。
【００４８】
１．２．２．表示例２
次に、図５を参照し、表示装置１００において表示方法１を用いて表示する表示例２について説明する。図５は、第１実施形態に係る表示装置に表示される表示例２を示す図である。なお、表示装置１００における構成部位に関しては、上述と同符号を付して説明する。
【００４９】
表示例２では、図５に示すように、制御部１１０は、表示部１４０を構成する第１表示画面１４１に、サムネイル束３０と、第２のサムネイル束３５と、第３のサムネイル束３７と、を第１表示画像として表示する。サムネイル束３０は、表示例１と同様に、選択されたファイルに含まれるページそれぞれのサムネイル画像５１を第１の方向に配列した画像束であり、第１のサムネイル束に相当する。第２のサムネイル束３５および第３のサムネイル束３７は、サムネイル束３０と同様に、複数のサムネイル画像を第１の方向に配列した画像束である。つまり、第１表示画面１４１には、複数の画像束が、第２の方向に沿った配置によって表示されている。
【００５０】
第１表示画面１４１において、サムネイル束３０、第２のサムネイル束３５、および第３のサムネイル束３７は、第２の方向に沿って配置されている。具体的には、第１表示画面１４１と第２表示画面１４２の境界１４５に近い領域にサムネイル束３０が配置され、サムネイル束３０の下側に、第２のサムネイル束３５、第３のサムネイル束３７の順に配置されている。なお、サムネイル束３０には、サムネイル束３０に含まれる複数のサムネイル画像５１の内から、ユーザーがフォーカスしたいとして選択した選択ページに相当するサムネイル画像５１ａ，５１ｂが、見開き状態の表示４０として表示されている。
【００５１】
また、制御部１１０は、表示部１４０を構成する第２表示画面１４２に、第２表示画像としてのメイン画像２１ａ，２１ｂを表示する。ここで、メイン画像２１ａ，２１ｂは、第１表示画面１４１に表示されているサムネイル束３０に含まれる複数のサムネイル画像５１の内から、ユーザーによって選択された選択ページに相当するサムネイル画像５１ａ，５１ｂのページを拡大して表示している画像である。即ち、選択されたファイルに含まれるページの内で、ユーザーがフォーカスしたいページの拡大画像である。
【００５２】
換言すれば、表示例２では、上述した表示例１と同様に、隣り合う第１表示画像としてのサムネイル束３０、第２のサムネイル束３５、および第３のサムネイル束３７と、第２表示画像としてのメイン画像２１ａ，２１ｂとの間に、第１表示画面１４１と第２表示画面１４２との境界１４５が配置されている。
【００５３】
サムネイル束３０、第２のサムネイル束３５、および第３のサムネイル束３７のそれぞれは、隣り合うサムネイル画像５１同士が、一部が重なった状態で等間隔に並ぶ構成部分と、隣り合うサムネイル画像５１同士の間隔が広がっていたり、表示向きが異なっていたりする部分などを含み並ぶ構成部分と、を有していてもよい。ここで、サムネイル束３０、第２のサムネイル束３５、および第３のサムネイル束３７を構成する画像としてのサムネイル画像５１などの構成については、上述した表示例１と同様であるので、ここでの詳細な説明は省略する。
【００５４】
上述の表示例２では、第１表示画面１４１に、複数のサムネイル画像５１などを第１の方向に並べて配置したサムネイル束、例えばサムネイル束３０、第２のサムネイル束３５、および第３のサムネイル束３７を、第１の方向と交差する第２の方向に沿って複数配置して表示する。したがって、表示例２によれば、表示例１の効果に加え、表示部１４０を構成する第１表示画面１４１の限られた表示領域に、より多くのサムネイル束およびサムネイル画像５１などを表示することができ、サムネイル束の中身、換言すれば複数のサムネイル画像５１などから構成されるフォルダーの中身、または複数のサムネイル画像５１などからファイルの中身全体を俯瞰することができる。
【００５５】
２．第２実施形態
２．１．表示装置
先ず、図６を参照して、第２実施形態に係る表示装置の構成について説明する。図６は、第２実施形態に係る表示装置に表示されるサムネイル画像を含むサムネイル束、およびメインページの表示例３を示す図である。
【００５６】
表示装置２００は、図６に示すように、電子書籍や電子写真などを閲覧するための装置であり、フォルダーやファイルに収納されている電子書籍や電子写真などの各ページの画像や表示したい画面の検索画面として、電子書籍や電子写真の各ページを縮小した画像としてのサムネイル画像を表示する。つまり、表示装置２００は、画像を表示可能な電子機器の一例である。また、本実施形態では、フォルダーやファイルを総称して、「ファイル」を用いて説明する。
【００５７】
また、以下の説明では、上述の第１実施形態と同様な、「第１の方向」、および「第２の方向」を用いている。また、表示装置２００や表示部２４０の説明に用いる各図面には、説明の便宜上、互いに直交する２軸を、Ｘ軸、およびＹ軸として設定している。即ち、Ｘ軸は、表示部２４０の水平方向（横方向）に沿った方向である「第１の方向」、Ｙ軸は、表示部２４０の垂直方向（縦方向）に沿った方向である「第２の方向」と一致している。また、説明の便宜上、Ｙ軸の正方向を「上」、または「上側」、Ｙ軸の負方向を「下」、または「下側」、Ｘ軸の正方向を「右」、または「右側」、Ｘ軸の負方向を「左」、または「左側」、ということがある。
【００５８】
表示装置２００は、例えばスマートフォンやタブレット型の端末装置などで構成することができる。表示装置２００は、他の情報処理装置（不図示）と、例えばＢｌｕｅｔｏｏｔｈ（登録商標）通信などを例示することができる近距離無線通信や有線通信（不図示）等によって接続されることができる。
【００５９】
第２実施形態に係る表示装置２００は、図６に示すように、画像を表示する二つの画面として第１表示画面２４１と第２表示画面２４２とを有する表示部２４０を備えている。なお、第１表示画面２４１が第１画面に相当し、第２表示画面２４２が第２画面に相当する。第１表示画面２４１と第２表示画面２４２とは、第１表示画面２４１または第２表示画面２４２の枠部などで構成される境界２４５を介してＸ軸に沿って並んで配置されている。本実施形態に係る表示装置２００は、境界２４５の部分での折りたたみが可能な、折りたたみ式の携帯型端末装置を例示している。ユーザーは、表示装置２００の液晶ディスプレイ等によって構成された第１表示画面２４１および第２表示画面２４２を有する表示部２４０に表示された画像を視認することができる。なお、表示装置２００は、二つの表示画面として、別固体で構成された二つのタブレット型の端末装置のそれぞれの画面を用いたり、二つのスマートフォンのそれぞれの画面を用いたりすることができる。また、表示装置２００は、例えばタブレット型の端末装置とスマートフォンとを組み合わせて、二つの画面の表示部２４０を構成することもできる。また、境界２４５は、枠部に替えて、一つの画面を区切る仮想線（不図示）で構成することができる。
【００６０】
表示装置２００のハードウェア構成は、図２に示し前述した第１実施形態に係る表示装置１００と同様である。したがって、本実施形態での説明は省略するが、それぞれの構成部位については同様の名称および符号を用いて説明する。
【００６１】
制御部１１０は、図６に示すように、画像束としてのサムネイル束３１、およびサムネイル束３１を構成する各ページのサムネイル画像５１の内から選択されたページのサムネイル画像５１ａを拡大表示するメイン画像２２を第１表示画像として生成する。また、制御部１１０は、画像束としてのサムネイル束３２、およびサムネイル束３２を構成する各ページのサムネイル画像５２の内から選択されたページのサムネイル画像５２ａを拡大表示するメイン画像２３を第２表示画像として生成する。そして、制御部１１０は、第１表示画像を一方の画面としての第１表示画面２４１に表示し、第２表示画像を他方の画面としての第２表示画面２４２に表示する。即ち、制御部１１０は、第１表示画面２４１と第２表示画面２４２との境界２４５を、隣り合う第１表示画像と第２表示画像との間に配置して、第１表示画像および第２表示画像を表示部２４０に表示する。これにより、第１表示画像と第２表示画像との重なり表示を防止することができ、二つの画像が重なってしまった場合に、それぞれの画像が見難いなど閲覧が困難になることを防ぐことができる。
【００６２】
２．２．表示方法２
２．２．１．表示例３
次に、図６を参照し、表示装置２００において表示方法２を用いて表示する表示例３について、以下詳細に説明する。なお、表示装置２００における構成部位に関しては、上述と同符号を付して説明する。
【００６３】
表示例３では、図６に示すように、表示部２４０を構成する第１表示画面２４１に、選択されたファイルに含まれるページそれぞれのサムネイル画像５１を第１の方向に配列したサムネイル束３１と、サムネイル束３１を構成する各ページのサムネイル画像５１の内から選択された選択ページに相当するサムネイル画像５１ａを拡大表示するメイン画像２２と、を含む第１表示画像を表示する。なお、第１表示画像は、サムネイル束３１が第１表示画面２４１の下方端の近傍に配置され、サムネイル束３１の表示領域よりも上側の広い領域に、拡大表示されたメイン画像２２が配置された表示画像である。
【００６４】
また、表示例３では、境界２４５に対して第１表示画面２４１とＸ軸に沿った反対側に設けられている第２表示画面２４２に、選択されたファイルに含まれるページそれぞれのサムネイル画像５２を第１の方向に配列したサムネイル束３２と、サムネイル束３２を構成する各ページのサムネイル画像５２の内から選択された選択ページに相当するサムネイル画像５２ａを拡大表示するメイン画像２３と、を含む第２表示画像を表示する。なお、第２表示画像は、サムネイル束３２が第２表示画面２４２の下方端の近傍に配置され、サムネイル束３２の表示領域よりも上側の広い領域に、拡大表示されたメイン画像２３が配置された表示画像である。
【００６５】
ここで、第１表示画像のメイン画像２２および第２表示画像のメイン画像２３は、サムネイル束３１，３２に含まれるページの内から、ユーザーによって選択された選択ページに相当するサムネイル画像５１ａ，５２ａを拡大して表示している画像である。即ち、選択されたファイルに含まれるページの内で、ユーザーがフォーカスしたいページの拡大画像である。
【００６６】
換言すれば、表示方法２では、隣り合う第１表示画像としてのサムネイル束３１およびメイン画像２２と、第２表示画像としてのサムネイル束３２およびメイン画像２３との間に、Ｘ軸に沿って並ぶ第１表示画面２４１と第２表示画面２４２との境界２４５が配置されている。
【００６７】
なお、サムネイル束３１，３２を構成するサムネイル画像５１，５２は、それぞれの画像の一部が重なった状態で等間隔に並ぶ構成部分と、隣り合う画像同士の間隔が広がっていたり、表示向きが異なっていたりする部分などを含み並ぶ構成部分と、を有している。ここで、サムネイル束３１，３２に含まれている複数のサムネイル画像５１，５２を斜め上方から斜視し、俯瞰したときと同様なページの見え方となるように、各ページのサムネイル画像５１，５２が変形されている。この変形方法に関しては、上述した表示例１と同様であるので、ここでの詳細な説明は省略する。
【００６８】
なお、第１表示画像に含まれるメイン画像２２、および第２表示画像に含まれるメイン画像２３は、それぞれ一つのページを拡大表示するに限らず、複数のページを選択して拡大表示することができる。
【００６９】
上述の表示例３によれば、サムネイル束３１と、サムネイル束３１の内から選択されたページを拡大表示するメイン画像２２と、を含む第１表示画像を一方の画面としての第１表示画面２４１に表示し、サムネイル束３２と、サムネイル束３２の内から選択されたページを拡大表示するメイン画像２３と、を含む第２表示画像を他方の画面としての第２表示画面２４２に表示する。即ち、第１表示画面２４１と第２表示画面２４２との境界２４５を、隣り合う第１表示画像と第２表示画像との間に配置して表示することにより、第１表示画像と第２表示画像との重なり表示を防止することができ、二つの画像が重なってしまった場合に、それぞれの画像が見難いなど閲覧が困難になることを防ぐことができる。
【００７０】
２．２．２．表示例４
次に、図７を参照して、表示装置２００において表示方法２を用いて表示する表示例４について説明する。図７は、第２実施形態に係る表示装置に表示される表示例４を示す図である。なお、表示装置２００における構成部位に関しては、上述と同符号を付して説明する。
【００７１】
表示例４では、図７に示すように、表示部２４０を構成する第１表示画面２４１に、複数のサムネイル束３１１，３１２，３１３，３１４，３１５を、Ｙ軸に沿って並べて表示する。それぞれのサムネイル束３１１，３１２，３１３，３１４，３１５は、選択されたファイルに含まれるページそれぞれのサムネイル画像５１を、第１の方向に並べて配置している。具体的には、第１表示画面２４１の上方の領域にサムネイル束３１１が配置され、サムネイル束３１１の下側に、サムネイル束３１２、サムネイル束３１３、サムネイル束３１４、サムネイル束３１５の順に配置されている。なお、サムネイル束３１３のＸ軸中央部には、ユーザーのフォーカスしたいページとして選択された選択ページに相当するサムネイル画像５５が、隣りのサムネイル画像とともに見開き状態で表示されている。
【００７２】
また、境界２４５に対して第１表示画面２４１とＸ軸に沿った反対側に設けられている第２表示画面２４２には、第１表示画面２４１に表示されている複数のサムネイル束３１１，３１２，３１３，３１４，３１５の内から、ユーザーがフォーカスしたいページとして選択した選択ページに相当するサムネイル画像５５を拡大表示したメイン画像２４を表示する。
【００７３】
即ち、表示例４では、複数のサムネイル束３１１，３１２，３１３，３１４，３１５と、選択ページに相当するサムネイル画像５５を拡大表示したメイン画像２４とが、境界２４５を介して表示部２４０の左右に並んで、換言すればＸ軸に沿って並んで表示される。
【００７４】
上述の表示例４では、第１表示画面２４１に、複数のサムネイル束３１１，３１２，３１３，３１４，３１５を第２の方向（Ｙ軸）に沿って複数配置して表示する。したがって、表示例４によれば、上述の表示例３の効果に加え、表示部２４０を構成する第１表示画面２４１の限られた表示領域に、より多くのサムネイル束３１１，３１２，３１３，３１４，３１５を表示することができ、サムネイル束の中身、換言すれば複数のサムネイル画像５１などから構成されるフォルダーの中身、または複数のサムネイル画像５１，５５などからファイルの中身全体を俯瞰することができる。
【００７５】
３．表示の変形例
次に、図８を参照して、表示装置１００，２００における表示の変形例について説明する。図８は、表示の変形例を示す図である。なお、図８では、表示装置１００の表示部１４０を例示して説明するが、表示装置２００に関しても同様に適用することができる。また、以下の説明において、表示装置１００における構成部位に関しては、上述と同符号を付して説明する。
【００７６】
本変形例では、表示部１４０を構成する第１表示画面１４１に、選択されたファイルに含まれるページそれぞれのサムネイル画像５１を第１の方向に配列したサムネイル束３０を第１表示画像として表示する。なお、サムネイル束３０には、サムネイル束３０に含まれる複数のサムネイル画像５１の内から、ユーザーがフォーカスしたいページとして選択した選択ページに相当するサムネイル画像５１ａ，５１ｂが、見開き状態で表示されている。
【００７７】
また、表示部１４０を構成する第２表示画面１４２には、第２表示画像としてのメイン画像２１ａ，２１ｂを表示する。ここで、メイン画像２１ａ，２１ｂは、サムネイル束３０に含まれる複数のサムネイル画像５１の内から、ユーザーによって選択された選択ページに相当するサムネイル画像５１ａ，５１ｂのページを拡大して表示している画像である。即ち、選択されたファイルに含まれるページの内で、ユーザーがフォーカスしたいページの拡大画像である。
【００７８】
本変形例では、このように表示されている第１表示画像または第２表示画像が、例えば画面に対するドラッグアンドドロップやフリックなどの操作によって移動したり拡大したりした場合、第１表示画像または第２表示画像それぞれが表示されている第１表示画面１４１または第２表示画面１４２からはみ出す部分の表示画像の表示を行わない。例えば、図８に示すように、第２表示画面１４２に表示されている第２表示画像であるメイン画像２１ａ，２１ｂが、図中矢印の方向に拡大され、図中破線で示す領域２１ｇにまで広がった場合でも、第１表示画面１４１は、図中破線で示す領域２１ｇの部分の表示画像を表示せず、第１表示画像であるサムネイル束３０を表示する。また、図示はしていないが、上述と同様に、第１表示画面１４１に表示されているサムネイル束３０が移動したり拡大したりした場合、第２表示画面１４２は、第１表示画面１４１からはみ出した表示画像の表示を行わない。
【００７９】
本変形例に示す表示によれば、第１表示画面１４１および第２表示画面１４２に表示する第１表示画像または第２表示画像のそれぞれを、独立した画像とすることができる。換言すれば、一方の表示画面の表示状態の影響を他方の表示画面に与えることが無い。詳述すれば、例えば第１表示画面１４１に第１表示画像が表示され、第２表示画面１４２に第２表示画像が表示されている場合、第１表示画像が拡大されて第１表示画面１４１からはみ出しても、はみ出した部分の表示画像は第２表示画面１４２に表示されないため、第２表示画面１４２に表示されている第２表示画像への影響を生じさせることがない。
【００８０】
なお、上述の実施形態では、表示装置１００，２００として折りたたみ式の携帯型端末装置を例示して説明したがこれに限らない。他の表示装置としては、例えばスマートフォンタイプの通信端末装置、タブレット端末、パーソナルコンピューターのディスプレイなどを単数、もしくは複数を組み合わせて適用することができる。また、表示装置として、例えば映像投射用のスクリーンなどを表示部として用い、スクリーンなどにサムネイル画像などの画像を含むサムネイル束などの画像束や他の画像を含み構成された画像を投影するプロジェクターを適用することができる。
【００８１】
また、上述の表示例１、表示例２、表示例４、および変形例では、第１画面もしくは第２画面の内の一方の画面に画像束を表示し、他方の画面にメイン画像を表示する例を示して説明したが、画面と表示画像との組み合わせを限定するものではなく、いずれかの画面に、第１の仮想軸上に配置され、第１の仮想軸と交差するそれぞれの第２の仮想軸を中心にして回転し、さらに第１の仮想軸を中心にして回転して表示される画像を含んでいればよい。例えば、一方の画面にメイン画像を表示し、他方の画面に画像束を表示してもよい。また、二つの画面に画像束を表示してもよい。
【００８２】
また、例えばメイン画像として表示するように選択されたサムネイル画像は、上述の実施形態で説明した見開き状態での表示に限らず、隣り合うサムネイル画像との間隔を広げ、隣り合うサムネイル画像と重ならないように表示することとしてもよい。このような表示とすることにより、隣り合うサムネイル画像同士が重ならないように表示されているため、サムネイル束の中でメイン画像に相当するサムネイル画像を見易くなり、その内容を知り易くすることができる。
【００８３】
以下に、上述した実施形態から導き出される内容を、各態様として記載する。
【００８４】
［態様１］本態様に係る表示方法は、第１の仮想軸上に配置され、前記第１の仮想軸と交差するそれぞれの第２の仮想軸を中心にして回転し、さらに前記第１の仮想軸を中心にして回転して表示される画像を第１表示画像および第２表示画像のいずれかに含み、前記第１表示画像と前記第２表示画像とを、第１画面および第２画面に表示する表示方法であって、前記第１画面と前記第２画面との境界を、隣り合う前記第１表示画像と前記第２表示画像との間に配置する。
【００８５】
本態様の表示方法によれば、例えば第１表示画像を第１画面に表示し、第２表示画像を第２画面に表示するなど、第１表示画像と第２表示画像とを、第１画面および第２画面にそれぞれ表示することにより、第１表示画像と第２表示画像との重なり表示を防止することができる。したがって、二つの画像が重なってしまった場合に、それぞれの画像が見難いなど閲覧が困難になることを防ぐことができる。
【００８６】
［態様２］上記態様に記載の表示方法において、前記第１表示画像および前記第２表示画像は、それぞれの表示されている前記第１画面または前記第２画面からはみ出す部分を表示しないこととしてもよい。
【００８７】
本態様によれば、第１画面および第２画面に表示する第１表示画像または第２表示画像のそれぞれを、独立した画像とすることができる。換言すれば、一方の画面の表示状態の影響を他方の画面に与えない。さらに詳述すれば、例えば第１画面に第１表示画像が表示され、第２画面に第２表示画像が表示されている場合、第１表示画像が拡大されて第１画面からはみ出しても、はみ出した部分の画像は第２画面に表示されないため、第２画面の第２表示画像への影響を生じさせない。
【００８８】
［態様３］上記態様に記載の表示方法において、前記第１表示画像は、複数の前記画像が第１の方向に並ぶ画像束を有し、前記第２表示画像は、複数の前記画像の内から選択された画像に対応するページを拡大したメイン画像を有することとしてもよい。
【００８９】
本態様によれば、第１表示画像として複数の画像が第１の方向に並ぶ画像束を一方の画面に表示し、第２表示画像として複数の画像の内から選択された画像に対応するページを拡大したメイン画像を他方の画面に表示するため、第１画面および第２画面の二つの画面によって、画像束全体の内容と、フォーカスしたい画像の内容とを、より判読し易くすることができる。
【００９０】
［態様４］上記態様に記載の表示方法において、前記第２表示画像は、前記メイン画像に加えて参照画像を有し、前記参照画像は、前記画像束の内から他の前記画像を選択することによって決定することとしてもよい。
【００９１】
本態様によれば、第２表示画像として、メイン画像と参照画像とを表示することにより、第２表示画像として表示される表示画像の中身の認知・理解を、より的確に行うことができる。
【００９２】
［態様５］上記態様に記載の表示方法において、前記選択された画像は、見開き状態で表示することとしてもよい。
【００９３】
本態様によれば、メイン画像に相当する画像束の内の画像が、他の画像の状態と異なる見開き状態であることから、画像束の中でメイン画像に相当する画像を視認し易くできるとともに、見開き状態の画像と、その近傍の他の画像との表示内容を視認し易くすることができる。
【００９４】
［態様６］上記態様に記載の表示方法において、前記選択された画像は、隣り合う画像との間隔を広げ、前記隣り合う画像と重ならないように表示することとしてもよい。
【００９５】
本態様によれば、メイン画像に相当する画像束の内の画像が、隣り合う画像との間隔を広げ、隣り合う画像同士が重ならないように表示されているため、画像束の中でメイン画像に相当する画像を見易くなり、その内容を知り易くすることができる。
【００９６】
［態様７］上記態様に記載の表示方法において、前記画像束は、前記第１の方向と交差する第２の方向に複数配置し、表示することとしてもよい。
【００９７】
本態様によれば、複数の画像を第１の方向に並べて配置した画像束を、第１の方向と交差する第２の方向に沿って複数配置して表示する。したがって、表示部の限られた表示領域に、より多くの画像束および画像束に含まれる画像を表示することができ、画像束の中身、換言すれば複数の画像から構成されるフォルダーの中身、または複数の画像からなるファイルの中身全体を俯瞰することができる。
【００９８】
［態様８］本態様に係る表示装置は、第１表示画像および第２表示画像のいずれかを表示する第１画面および第２画面と、第１の仮想軸上に配置され、前記第１の仮想軸と交差する第２の仮想軸を中心にして回転し、更に前記第１の仮想軸を中心に回転して表示される画像を生成する画像生成部と、前記画像をいずれかに含むように前記第１表示画像および前記第２表示画像を生成する表示画像生成部と、前記第１画面と前記第２画面との境界が、隣り合う前記第１表示画像と前記第２表示画像との間に配置されるように、前記第１表示画像と前記第２表示画像とを、前記第１画面および前記第２画面に表示する制御部と、を備えている。
【００９９】
本態様の表示装置によれば、第１表示画像および第２表示画像のいずれかを表示する第１画面および第２画面を有し、第１画面と第２画面との境界が、隣り合う第１表示画像と第２表示画像との間に配置されていることにより、例えば第１表示画像を第１画面に表示し、第２表示画像を第２画面に表示するなど、第１表示画像と第２表示画像とを、第１画面および第２画面にそれぞれ表示することができる。これにより、第１表示画像と第２表示画像との重なり表示を防止することができ、二つの画像が重なってしまった場合に、それぞれの画像が見難いなど閲覧が困難になることを防ぐことができる。
【符号の説明】
【０１００】
２１ａ，２１ｂ…メイン画像、３０…画像束としてのサムネイル束、４０…見開き状態の表示、５１…画像としてのサムネイル画像、５１ａ，５１ｂ…選択ページに相当するサムネイル画像、１００，２００…表示装置、１１０…制御部、１２０…サムネイル画像生成部、１３０…表示画像生成部、１４０…表示部、１４１…画面としての第１表示画面、１４２…画面としての第２表示画面、１４５…境界、１５０…操作部、１６０…記憶部、Ｑ…第１の仮想軸、Ｍ…第２の仮想軸、θ…回転角、Ｎ…仮想水平面。
【図１】
2020086111.tif 000003
【図２】
2020086111.tif 000004
【図３】
2020086111.tif 000005
【図４Ａ】
2020086111.tif 000006
【図４Ｂ】
2020086111.tif 000007
【図４Ｃ】
2020086111.tif 000008
【図４Ｄ】
2020086111.tif 000009
【図４Ｅ】
2020086111.tif 000010
【図５】
2020086111.tif 000011
【図６】
2020086111.tif 000012
【図７】
2020086111.tif 000013
【図８】
2020086111.tif 000014